(57)【要約】【課題】オン期間とオフ期間が規定されているバースト信号の高レベル信号のオフ期間へのはみ出しがあっても、正しいタイムマスク測定が行なえるようにする。【解決手段】データ取得部２１は、測定対象のバースト信号のレベルデータを低利得モードと高利得モードで取得する。オンオフレベル算出部３０は、低利得モードで取得したレベルデータからオン期間の平均レベルを求めるオンレベル算出手段３１と、オン期間の前後のオフ期間に対する高いレベルの信号のはみ出しを検出するはみ出し検出手段３２と、そのはみ出し量を低利得モードで取得したオフ期間のレベルデータから算出するはみ出し量算出手段３３と、求めたはみ出し量と、高利得モードで取得されたオフ期間のレベルデータのうち、はみ出し部分を除いた期間の平均レベルとからオフ期間全体のレベルを求めるオフレベル算出手段３４とを有している。【選択図】図１
2015064268.tif 000002
【特許請求の範囲】
【請求項１】
信号レベルが高いと予想されるオン期間と、該オン期間の前後で信号レベルが低いと予想されるオフ期間とが通信方式によって規定されている測定対象のバースト信号を受け、そのレベルデータを、前記オン期間に入力されると予想される高いレベルの信号が非飽和となる状態で取得する低利得モードと、前記オフ期間に入力されると予想される低いレベルの信号が非飽和となる状態で取得する高利得モードとを有するデータ取得部（２１）と、
前記データ取得部が前記低利得モードで取得したレベルデータと、前記高利得モードで取得したレベルデータとから、前記オン期間の平均レベルとその前後のオフ期間の平均レベルをそれぞれ求めるオンオフレベル算出部（３０）と、
前記オンオフレベル算出部で得られた前記オン期間とその前後のオフ期間の平均レベルが、前記通信方式で規定されたマスクに適合するか否かを判定する判定部（４０）とを有するバースト信号測定装置において、
前記オンオフレベル算出部は、
前記データ取得部が前記低利得モードで取得したレベルデータから、前記オン期間の平均レベルを求めて前記判定部に出力するオンレベル算出手段（３１）と、
前記バースト信号の前記オン期間に入力されると予想される高い信号レベルと前記オフ期間に入力されると予想される低い信号レベルとの間に設定された所定のしきい値を超えるレベルデータが、前記低利得モードで取得したレベルデータの前記オフ期間中に有るか否かを判定し、有る場合にはそのレベルデータが前記しきい値を超える期間をはみ出し期間として求めるはみ出し検出手段（３２）と、
前記はみ出し期間が前記オン期間の前段の前記オフ期間に検出された場合には、前記低利得モードで取得したレベルデータにおける前記はみ出し期間の平均レベルを前段はみ出し量として求め、前記はみ出し期間が前記オン期間の後段の前記オフ期間に検出された場合には、前記低利得モードで取得したレベルデータにおける前記はみ出し期間の平均レベルを後段はみ出し量として求めるはみ出し量算出手段（３３）と、
前記はみ出し期間が検出されない場合には、前記高利得モードで取得したレベルデータから、前記オン期間の前後のオフ期間の平均レベルをそれぞれ求め、前記はみ出し期間が前記オン期間の前段の前記オフ期間に検出された場合には、前記高利得モードで取得したレベルデータから、前記前段の前記オフ期間から前記はみ出し期間を除いた期間の平均レベルを求め、該平均レベルと前記前段はみ出し量とから前記前段のオフ期間全体の平均レベルを求め、前記はみ出し期間が前記後段の前記オフ期間に検出された場合には、前記高利得モードで取得したレベルデータから、前記後段の前記オフ期間から前記はみ出し期間を除いた期間の平均レベルを求め、該平均レベルと前記後段はみ出し量とから前記後段のオフ期間全体の平均レベルを求めるオフレベル算出手段（３４）とを備えたことを特徴とするバースト信号測定装置。
【請求項２】
信号レベルが高いと予想されるオン期間と、該オン期間の前後で信号レベルが低いと予想されるオフ期間とが通信方式によって規定されている測定対象のバースト信号を受け、そのレベルデータを、前記オン期間に入力されると予想される高いレベルの信号が非飽和となる低利得モードで取得するとともに、前記オフ期間に入力されると予想される低いレベルの信号が非飽和となる高利得モードで取得するデータ取得段階と、
前記低利得モードで取得したレベルデータと、前記高利得モードで取得したレベルデータとから、前記オン期間の平均レベルとその前後のオフ期間の平均レベルをそれぞれ求めるオンオフレベル算出段階と、
前記オン期間とその前後のオフ期間の平均レベルが、前記通信方式で規定されたマスクに適合するか否かを判定する判定段階とを含むバースト信号測定方法において、
前記オンオフレベル算出段階は、
前記低利得モードで取得したレベルデータから、前記オン期間の平均レベルを求めるオンレベル算出段階と、
前記バースト信号の前記オン期間に入力されると予想される高い信号レベルと前記オフ期間に入力されると予想される低い信号レベルとの間に設定された所定のしきい値を超えるレベルデータが、前記低利得モードで取得したレベルデータの前記オフ期間中に有るか否かを判定し、有る場合にはそのレベルデータが前記しきい値を超える期間をはみ出し期間として求めるはみ出し検出段階と、
前記はみ出し期間が前記オン期間の前段の前記オフ期間に検出された場合には、前記低利得モードで取得したレベルデータにおける前記はみ出し期間の平均レベルを前段はみ出し量として求め、前記はみ出し期間が前記オン期間の後段の前記オフ期間に検出された場合には、前記低利得モードで取得したレベルデータにおける前記はみ出し期間の平均レベルを後段はみ出し量として求めるはみ出し量算出段階と、
前記はみ出し期間が検出されない場合には、前記高利得モードで取得したレベルデータから、前記オン期間の前後のオフ期間の平均レベルをそれぞれ求め、前記はみ出し期間が前記オン期間の前段の前記オフ期間に検出された場合には、前記高利得モードで取得したレベルデータから、前記前段の前記オフ期間から前記はみ出し期間を除いた期間の平均レベルを求め、該平均レベルと前記前段はみ出し量とから前記前段のオフ期間全体の平均レベルを求め、前記はみ出し期間が前記後段の前記オフ期間に検出された場合には、前記高利得モードで取得したレベルデータから、前記後段の前記オフ期間から前記はみ出し期間を除いた期間の平均レベルを求め、該平均レベルと前記後段はみ出し量とから前記後段のオフ期間全体の平均レベルを求めるオフレベル算出段階とを含むことを特徴とするバースト信号測定方法。
【発明の詳細な説明】
【技術分野】
【０００１】
本発明は、デジタル通信に用いられるバースト信号を測定するための技術において、特に、バースト信号に対する通信規格で定義されたタイムマスク測定を正確に行なうための技術に関する。
【背景技術】
【０００２】
デジタル通信に用いられる信号は、パワーを出しているオン期間とオフ期間とが規格で定められており、そのオン期間における信号レベルが規定範囲内で、オフ期間における信号レベルが規定値以下となっているかを測定することで測定対象機器の評価を行なっている。
【０００３】
この測定を一般的にオン/オフタイムマスク測定と呼ぶ。例えば、通信規格 3GPP TS 36.521-1 V9.7.0 には、General ON/OFF time mask に関して、図６に示すように、信号のサブフレームが出力されるオン期間Ｔonと、その前後のオフ期間Ｔoff1、Ｔoff2を規定し、そのオン期間Ｔon中の平均レベルＬonが斜線で示すＡ±ａの許容範囲に入り、オフ期間Ｔoff1、Ｔoff2中の平均レベルＬoff1、Ｌoff2が、Ｂの許容値以下に入ることを規定している。なお、オン期間とその前後のオフ期間との間には、信号の立ち上がりや立ち下がり時間などを考慮した非測定時間帯Ｔnm1、Ｔnm2が設けられている。
【０００４】
また、上記したようなサブフレームのバースト信号を測定対象とするGeneral ON/OFF time mask の他にも、PRACH（物理ランダムアクセスチャネル）のバースト信号を測定対象とするPRACH ON/OFF time mask や、SRS ON/OFF time mask 等も規定されている。
【０００５】
したがって、このような測定を定量的に行なうためには、携帯端末や基地局装置等の測定対象が出力するバースト信号を受信部で受信し、これをＡ／Ｄ変換器でデジタル値に変換してそのオン期間とその前後のオフ期間におけるレベルデータを取得する必要がある。
【０００６】
ところが、上記測定対象のバースト信号のダイナミックレンジは場合によっては６０ｄＢ以上あり、その最大のレベルと最小のレベルを正確に測定するために要求される測定器側のダイナミックレンジは少なくとも８０ｄＢ以上となるが、上記受信部とＡ／Ｄ変換器からなるデータ取得部全体のダイナミックレンジは、一般的にそれを満たすことは困難である。
【０００７】
これを解決する技術として、測定対象のバースト信号に対して、オン期間の高い信号レベルを正確に取得できるような低利得モードによるデータ取得と、オフ期間の低い信号レベルを正確に取得できるような高利得モードによるデータ取得を行うことで、オン期間とオフ期間のレベルを正確に求める方法が実現されている。
【０００８】
このように、測定器側のダイナミックレンジの不足分を補うために、異なる利得で取得したバースト信号のデータを用いて、オフ期間とオン期間のレベルを正確に求める技術は、例えば特許文献１に開示されている。
【先行技術文献】
【特許文献】
【０００９】
【特許文献１】特開平６−２８９０７７号公報
【発明の概要】
【発明が解決しようとする課題】
【００１０】
しかしながら、測定対象機器には、通信方式で規定されたオン期間やオフ期間に対して正しいタイミングでパワーの出力制御が行なわれないものが存在する。
【００１１】
例えば、図７に示すように、バースト信号が高レベルになるタイミングが規定より早く、オフ期間Ｔoff１側にはみ出してしまうような制御を行なう機器があっても、従来装置ではこれを認識せずに、低利得モードで得られたデータから規定のオン期間Ｔonにおける平均レベルを求め、高低利得モードで得られたデータから規定のオフ期間Ｔoff1、Ｔoff2における平均レベルを求めて、マスク判定を行なうことになる。
【００１２】
ここで、オフ期間Ｔoff1へのはみ出し部分のレベルが、高利得モードで取得した場合であっても飽和レベルに達しなければそのはみ出し部分のレベルも正確なのでオフ期間Ｔoff1全体における平均レベルに正確に反映されるので問題無い。
【００１３】
ところが、オフ期間Ｔoff1へのはみ出し部分のレベルが、高利得モードで取得したときに飽和レベルに達していると、その部分の平均レベルは実際のはみ出し部分の平均レベルより小さくなり、これを含めたオフ期間Ｔoff1全体の平均レベルは、入力したバースト信号のオフ期間Ｔoff1の平均レベルより小さくなって正確な測定が行なえない。この問題は、他方のオフ期間Ｔoff2へのはみ出しでも同様に発生し、これによって入力するバースト信号に対する規定のマスク測定を正確に行なえないという問題があった。
【００１４】
本発明は、この問題を解決し、規定のオン期間やオフ期間に対してバースト信号が高レベルになるタイミングが早過ぎたり、低レベルになるタイミングが遅れたりして、オフ期間にはみ出した場合であっても、正しいタイムマスク測定が行なえるバースト信号測定装置およびその測定方法を提供することを目的としている。
【課題を解決するための手段】
【００１５】
前記目的を達成するために、本発明の請求項１のバースト信号測定装置は、
信号レベルが高いと予想されるオン期間と、該オン期間の前後で信号レベルが低いと予想されるオフ期間とが通信方式によって規定されている測定対象のバースト信号を受け、そのレベルデータを、前記オン期間に入力されると予想される高いレベルの信号が非飽和となる状態で取得する低利得モードと、前記オフ期間に入力されると予想される低いレベルの信号が非飽和となる状態で取得する高利得モードとを有するデータ取得部（２１）と、
前記データ取得部が前記低利得モードで取得したレベルデータと、前記高利得モードで取得したレベルデータとから、前記オン期間の平均レベルとその前後のオフ期間の平均レベルをそれぞれ求めるオンオフレベル算出部（３０）と、
前記オンオフレベル算出部で得られた前記オン期間とその前後のオフ期間の平均レベルが、前記通信方式で規定されたマスクに適合するか否かを判定する判定部（４０）とを有するバースト信号測定装置において、
前記オンオフレベル算出部は、
前記データ取得部が前記低利得モードで取得したレベルデータから、前記オン期間の平均レベルを求めて前記判定部に出力するオンレベル算出手段（３１）と、
前記バースト信号の前記オン期間に入力されると予想される高い信号レベルと前記オフ期間に入力されると予想される低い信号レベルとの間に設定された所定のしきい値を超えるレベルデータが、前記低利得モードで取得したレベルデータの前記オフ期間中に有るか否かを判定し、有る場合にはそのレベルデータが前記しきい値を超える期間をはみ出し期間として求めるはみ出し検出手段（３２）と、
前記はみ出し期間が前記オン期間の前段の前記オフ期間に検出された場合には、前記低利得モードで取得したレベルデータにおける前記はみ出し期間の平均レベルを前段はみ出し量として求め、前記はみ出し期間が前記オン期間の後段の前記オフ期間に検出された場合には、前記低利得モードで取得したレベルデータにおける前記はみ出し期間の平均レベルを後段はみ出し量として求めるはみ出し量算出手段（３３）と、
前記はみ出し期間が検出されない場合には、前記高利得モードで取得したレベルデータから、前記オン期間の前後のオフ期間の平均レベルをそれぞれ求め、前記はみ出し期間が前記オン期間の前段の前記オフ期間に検出された場合には、前記高利得モードで取得したレベルデータから、前記前段の前記オフ期間から前記はみ出し期間を除いた期間の平均レベルを求め、該平均レベルと前記前段はみ出し量とから前記前段のオフ期間全体の平均レベルを求め、前記はみ出し期間が前記後段の前記オフ期間に検出された場合には、前記高利得モードで取得したレベルデータから、前記後段の前記オフ期間から前記はみ出し期間を除いた期間の平均レベルを求め、該平均レベルと前記後段はみ出し量とから前記後段のオフ期間全体の平均レベルを求めるオフレベル算出手段（３４）とを備えたことを特徴とする。
【００１６】
また、本発明の請求項２のバースト信号測定方法は、
信号レベルが高いと予想されるオン期間と、該オン期間の前後で信号レベルが低いと予想されるオフ期間とが通信方式によって規定されている測定対象のバースト信号を受け、そのレベルデータを、前記オン期間に入力されると予想される高いレベルの信号が非飽和となる低利得モードで取得するとともに、前記オフ期間に入力されると予想される低いレベルの信号が非飽和となる高利得モードで取得するデータ取得段階と、
前記低利得モードで取得したレベルデータと、前記高利得モードで取得したレベルデータとから、前記オン期間の平均レベルとその前後のオフ期間の平均レベルをそれぞれ求めるオンオフレベル算出段階と、
前記オン期間とその前後のオフ期間の平均レベルが、前記通信方式で規定されたマスクに適合するか否かを判定する判定段階とを含むバースト信号測定方法において、
前記オンオフレベル算出段階は、
前記低利得モードで取得したレベルデータから、前記オン期間の平均レベルを求めるオンレベル算出段階と、
前記バースト信号の前記オン期間に入力されると予想される高い信号レベルと前記オフ期間に入力されると予想される低い信号レベルとの間に設定された所定のしきい値を超えるレベルデータが、前記低利得モードで取得したレベルデータの前記オフ期間中に有るか否かを判定し、有る場合にはそのレベルデータが前記しきい値を超える期間をはみ出し期間として求めるはみ出し検出段階と、
前記はみ出し期間が前記オン期間の前段の前記オフ期間に検出された場合には、前記低利得モードで取得したレベルデータにおける前記はみ出し期間の平均レベルを前段はみ出し量として求め、前記はみ出し期間が前記オン期間の後段の前記オフ期間に検出された場合には、前記低利得モードで取得したレベルデータにおける前記はみ出し期間の平均レベルを後段はみ出し量として求めるはみ出し量算出段階と、
前記はみ出し期間が検出されない場合には、前記高利得モードで取得したレベルデータから、前記オン期間の前後のオフ期間の平均レベルをそれぞれ求め、前記はみ出し期間が前記オン期間の前段の前記オフ期間に検出された場合には、前記高利得モードで取得したレベルデータから、前記前段の前記オフ期間から前記はみ出し期間を除いた期間の平均レベルを求め、該平均レベルと前記前段はみ出し量とから前記前段のオフ期間全体の平均レベルを求め、前記はみ出し期間が前記後段の前記オフ期間に検出された場合には、前記高利得モードで取得したレベルデータから、前記後段の前記オフ期間から前記はみ出し期間を除いた期間の平均レベルを求め、該平均レベルと前記後段はみ出し量とから前記後段のオフ期間全体の平均レベルを求めるオフレベル算出段階とを含むことを特徴とする。
【発明の効果】
【００１７】
このように、本発明では、オン期間の前後のオフ期間に対する高いレベルの信号のはみ出しを検出し、検出された場合、そのはみ出し量を低利得モードで取得したオフ期間のレベルデータから正確に算出し、そのはみ出し量と、高利得モードで取得されたオフ期間のレベルデータのうち、はみ出し部分を除いた期間の平均レベルとからオフ期間全体のレベルを求めているので、オフ期間のレベルを正確に求めることができ、正しいマスク測定が可能となる。
【図面の簡単な説明】
【００１８】
【図１】本発明の実施形態の全体構成図
【図２】実施形態の動作を説明するための信号波形図
【図３】実施形態の動作を説明するための信号波形図
【図４】実施形態の動作を説明するための信号波形図
【図５】データ取得部の別の構成例を示す図
【図６】バースト信号に対するマスク測定を説明するための図
【図７】オフ期間に対するはみ出しがある場合の信号波形図
【発明を実施するための形態】
【００１９】
以下、図面に基づいて本発明の実施の形態を説明する。
図１は、本発明を適用したバースト信号測定装置２０の全体構成を示している。
【００２０】
このバースト信号測定装置２０は、データ取得部２１、オンオフレベル算出部３０、判定部４０、波形合成部５０、表示部６０を有している。
【００２１】
データ取得部２１は、図２の（ａ）に示すように、信号レベルが高いと予想されるオン期間Ｔonと、そのオン期間Ｔonの前後で信号レベルが低いと予想されるオフ期間Ｔoff1、Ｔoff2とが通信方式によって規定された測定対象のバースト信号Ｓｖを受けるが、入力されるバースト信号Ｓｖのレベル（パワーレベル）波形は、図２の（ｂ）のようにレベル差が非常に大きく、単一利得の信号処理では高レベル部が飽和したり、低レベル部がノイズに埋もれたりして正確に測定することが困難である。そこで、このデータ取得部２１は、レベルデータを、オン期間Ｔonに入力されると予想される高いレベルの信号が高Ｓ／Ｎで非飽和となる状態で取得する低利得モードと、オフ期間Ｔoff1、Ｔoff2に入力されると予想される低いレベルの信号が高Ｓ／Ｎで且つ非飽和となる状態で取得する高利得モードとを有している。
【００２２】
この低利得モードにおけるレベルデータと高利得モードにおけるレベルデータの取得形態には、単一の信号経路にバースト信号を入力してその利得を時間によって変化させることで２種類のレベルデータを取得する形態と、利得が異なる二つの信号経路に同時にバースト信号を与えて２種類のレベルデータを取得する形態とが採用できる。
【００２３】
図１の例は前者の形態であり、データ取得部２１は、利得可変器２２、周波数変換器２３、Ａ／Ｄ変換器２４、データ変換部２５、データメモリ２６およびこれらを制御する制御部２７によって構成されている。
【００２４】
利得可変器２２は、可変減衰器や利得可変増幅器等で構成され、入力するバースト信号Ｓｖを低利得（例えば利得−３０ｄＢ）で通過させる低利得モードと、高利得（例えば利得０ｄＢ）で通過させる高利得モードの切り替えが可能となっている。
【００２５】
周波数変換器２３は、例えば数１００ＭＨｚ〜数ＧＨｚの高周波のバースト信号ＳｖをＡ／Ｄ変換器２４が処理可能な中間周波数帯のバースト信号Ｓｖ′に変換するヘテロダイン型のものである。なお、測定対象のバースト信号の周波数が低い場合、この周波数変換器２３を省略することもできる。以下の説明では、発明を理解しやすいように、周波数変換器２３の利得を０ｄＢとするが、０ｄＢ以外の利得（減衰も含む）がある場合にはその利得と可変利得器２２の利得との和でバースト信号の入力レベルを補正すればよい。
【００２６】
Ａ／Ｄ変換器２４は、入力されるバースト信号Ｓｖ′を所定のサンプリング周期（中間周波数帯の２倍以上の周波数に対応する周期）でサンプリングしてデジタルの信号列Ｄｖに変換し、データ変換部２５に出力する。
【００２７】
データ変換部２５は、Ａ／Ｄ変換器２４から出力されるデジタルの信号列Ｄｖを受けて、バースト信号の瞬時波形を、レベルデータ（検波データ）に変換し、その変換したレベルデータをデータメモリ２６に出力する。ここで、データ変換部２５が求めるレベルデータは、利得可変部２２の利得（例えば−３０ｄＢ、０ｄＢ）分が補正されていて、入力するバースト信号のレベル（パワー）に対応しているものとする。
【００２８】
例えば低利得モードで得られたデジタルの信号列ＤｖのレベルがＡであれば、そのレベルＡに利得分−３０ｄＢを補正した結果をレベルデータＤｓ(L) とし、高利得モードで得られたデジタルの信号列ＤｖのレベルがＢであれば、そのレベルＢに利得分０ｄＢを補正した結果をレベルデータＤｓ(H) とする。なお、この補正は、後述のオンオフレベル算出部３０で行なってもよい。
【００２９】
データメモリ２６には、少なくとも２つのメモリ領域２６ａ、２６ｂが設けられており、一方のメモリ領域２６ａには、例えば図２の（ｃ）に示すように、低利得モードで取得したバースト信号の一連のレベルデータＤｓ(L) が記憶され、他方のメモリ領域２６ｂには、図２の（ｄ）に示すように、高利得モードで取得したバースト信号のレベルデータＤｓ(H) が記憶される。
【００３０】
ここで、図２の（ｃ）に示したレベルデータＤｓ(L) では、低利得なためにバースト信号のオン期間中の高レベル部は飽和することなく前記したように利得可変器２２の利得分を補正することで正確なレベルを求めることができるが、オフ期間中の低レベル部はノイズフロア以下となってしまい正確なレベルを求めることができない。また、図２の（ｄ）に示したレベルデータＤｓ(H) では、高利得なためにバースト信号のオン期間中の高レベル部は飽和して正確なレベルを求めることはできないが、オフ期間中の低レベル部はノイズフロアより十分高いレベルとなっているから利得可変器２２の利得分を補正することで正確なレベルを求めることが可能である。
【００３１】
制御部２７は、測定対象のバースト信号の入力タイミングを、そのバースト信号を含むフレーム全体の中で特定し、その入力タイミングに合わせて、利得可変器２２の利得の切替えおよびそれに同期したレベルデータのデータメモリ２６への書き込み領域の切替え等のタイミング制御を行なう。さらに詳しく言えば、Ａ／Ｄ変換器２４から出力されるデジタルの信号列Ｄｖを受けてそのデジタル変調方式に対応したデータ復調処理を行い、復調されたデータ中に含まれる既知の固有データの位置から、そのバースト信号の基準タイミングを特定し、その基準タイミングから規定のオン期間やオフ期間を決定する処理も行ない、それらの各期間の開始や終了のタイミングとデータメモリ２６のアドレス情報との対応関係を示す時間情報をオンオフレベル算出部３０や波形合成部５０に与える。これらの処理については特許文献１に記載されている処理と同等であるのでここでは詳述しない。
【００３２】
このようにしてデータ取得部２１のデータメモリ２６に低利得モードと高利得モードそれぞれの一連のレベルデータＤｓ(L) 、Ｄｓ(H) が取得されると、オンオフレベル算出部３０によってオン期間の平均レベルＬonとその前後のオフ期間の平均レベルＬoff1、Ｌoff2がそれぞれ求められ、判定部４０によってその求められたオン期間とオフ期間の平均レベルが、測定対象のバースト信号が用いられる通信方式で予め規定されたマスクに適合するか否かが判定される。
【００３３】
ここで、オンオフレベル算出部３０には、前記した高いレベルの信号のオフ期間へのはみ出しによる測定誤差を防止する機能が備えられている。
【００３４】
即ち、オンオフレベル算出部３０は、オンレベル算出手段３１、はみ出し検出手段３２、はみ出し量算出手段３３およびオフレベル算出手段３４によって構成されている。
【００３５】
オンレベル算出手段３１は、図２の（ｃ）に示しているように、データ取得部２１が低利得モードで取得した一連のレベルデータＤｓ(L) のうち、オン期間Ｔonの平均レベルＬonを求めて判定部４０に出力する。
【００３６】
また、はみ出し検出手段３２は、バースト信号のオン期間Ｔonに入力されると予想される高い信号レベル(例えば−１±７．５ｄＢｍ)とオフ期間Ｔoff1、Ｔoff2に入力されると予想される低い信号レベル(例えば−５０ｄＢｍ)との間に所定のしきい値Ｒ（例えば−３０ｄＢｍ）を設定し、データ取得部２１が低利得モードで取得した一連のレベルデータＤｓ(L) のうち、そのしきい値Ｒを超えるレベルデータが、オフ期間Ｔoff1、Ｔoff2に有るか否かを判定し、有る場合にはそのレベルデータがしきい値Ｒを超えている期間をはみ出し期間Ｔov1 、Ｔov2 として求める。なお、図２の例は、はみ出し期間が検出されない場合を示している。
【００３７】
図３の（ａ）は、データ取得部２１が低利得モードで取得した一連のレベルデータＤｓ(L) のうち、しきい値Ｒを超えるはみ出し期間Ｔov1 が、オフ期間Ｔoff1に検出された場合を示し、図４の（ａ）は、しきい値Ｒを超えるはみ出し期間Ｔov2 が、オフ期間Ｔoff2に検出された場合を示している。
【００３８】
はみ出し量算出手段３３は、図３の（ａ）に示したように、低利得モードで取得した一連のレベルデータＤｓ(L) のうち、前段のオフ期間Ｔoff1に検出されたはみ出し期間Ｔov1 の平均レベルを前段はみ出し量Ｌov1 として求め、図４の（ａ）に示したように、後段のオフ期間Ｔoff2に検出されたはみ出し期間Ｔov2 の平均レベルを後段はみ出し量Ｌov2 として求める。これらはみ出し期間における平均レベルは、低利得モードで取得した一連のレベルデータＤｓ(L) から求めており、その低利得モードでは、しきい値Ｒ以上のデータは飽和することなく、高Ｓ／Ｎで得られるので、高い精度で得られる。
【００３９】
オフレベル算出手段３４は、はみ出し検出手段３２ではみ出し期間が検出されない場合には、図２の（ｄ）に示しているように、データ取得部２１が高利得モードで取得したレベルデータＤｓ(H) のうち、オン期間Ｔoｎの前後のオフ期間Ｔoff1、Ｔoff2の平均レベルＬoff1、Ｌoff2をそれぞれ求めて判定部４０に出力する。
【００４０】
また、前段のオフ期間Ｔoff1にはみ出し期間Ｔov1 が検出された場合には、図３の（ｂ）に示しているように、高利得モードで取得したレベルデータＤｓ(H) のうち、前段のオフ期間Ｔoff1からはみ出し期間Ｔov1 を除いた期間Ｔoff1′の平均レベルＬoff1′を求め、この平均レベルＬoff1′と前段はみ出し量Ｌov1 とから前段のオフ期間Ｔoff1全体の平均レベルＬoff1を求める。
【００４１】
同様に、後段のオフ期間Ｔoff2にはみ出し期間Ｔov2 が検出された場合には、図４の（ｂ）に示しているように、高利得モードで取得したレベルデータＤｓ(H) のうち、後段のオフ期間Ｔoff2からはみ出し期間Ｔov2 を除いた期間Ｔoff2′の平均レベルＬoff2′を求め、この平均レベルＬoff2′と後段はみ出し量Ｌov2 とから後段のオフ期間Ｔoff2全体の平均レベルＬoff2を求める。
【００４２】
これらの処理は例えば次の演算により実現できる。
Ｌoff1＝｛（Ｔoff1′×Ｌoff1′）＋（Ｔov1 ×Ｌov1 ）｝／Ｔoff1
Ｌoff2＝｛（Ｔoff2′×Ｌoff2′）＋（Ｔov2 ×Ｌov2 ）｝／Ｔoff2
【００４３】
このように、はみ出し期間Ｔov1 、Ｔov2 における正確なはみ出し量を求めて、オフ期間全体の平均レベルを求めているので、たとえレベルが高い信号成分がオフ期間にはみ出しているバースト信号が入力された場合であっても、オフ期間全体の平均レベルを精度よく求めることができる。
【００４４】
上記のようにオンオフレベル算出部３０で得られたオン期間とオフ期間の平均レベルＬoff1、Ｌoff2は判定部４０に出力される。判定部４０では、これらオン期間とオフ期間の平均レベルＬoff1、Ｌoff2が、測定対象のバースト信号に対して予め規定されたタイムマスクに適合するか否かを判定する。
【００４５】
即ち、オン期間の平均レベルＬonが所定の許容範囲、例えば−１±７．５ｄＢｍの範囲内にあり、且つ、オフ期間の平均レベルＬoff1、Ｌoff2が所定の許容値、例えば−４８．５ｄＢｍ以下に入れば、タイムマスクに適合していると判定し、上記範囲から逸脱していれば不適合と判定する。
【００４６】
また、波形合成部５０は、データメモリ２６に記憶されたレベルデータから、入力したバースト信号のレベル波形を合成する。この処理は、例えば低利得モードで取得した一連のレベルデータのうち、オン期間Ｔonに入力されると予想される高い信号レベルとオフ期間Ｔoff1、Ｔoff2に入力されると予想される低い信号レベルとの間に設定された所定のしきい値Ｒ′（前記しきい値Ｒと等しくてもよい）よりレベルが高い期間Ｔｈのレベルデータと、高利得モードで取得したレベルデータのうち、前記期間Ｔｈを除いた期間のレベルデータを、時間軸を合わせて上下に繋ぐことで、図２の（ｂ）に示したような実際に入力されたバースト信号のパワーレベル波形を求める。
【００４７】
表示部６０は、上記オンオフレベル算出部３０で得られたオン期間やオフ期間の平均レベル、判定部４０の判定結果および波形合成部５０で得られたバースト信号のパワーレベル波形等を表示する。
【００４８】
上記実施形態は、データ取得部２１が、単一の信号経路にバースト信号を入力してその利得を時間によって変化させることで低利得モードと高利得モードの２種類のレベルデータを取得していたが、前記したように、利得が異なる二つの信号経路に同時にバースト信号を与えて２種類のレベルデータを取得することも可能である。
【００４９】
図５は、それを実現するデータ取得部２１の構成例であり、入力するバースト信号Ｓｖを、利得が異なる（例えば−３０ｄＢと０ｄＢ）固定利得器２２Ａ、２２Ｂに与え、それらの出力を前記周波数変換器２３と同様の周波数変換器２３Ａ、２３Ｂで中間周波数帯にそれぞれ変換して、その出力Ｓｖ(L)′、Ｓｖ(H)′をＡ／Ｄ変換器２４Ａ、２４Ｂでデジタルの信号列Ｄｖ(L) 、Ｄｖ(H) に変換する。そして、これら２系統の信号列Ｄｖ(L) 、Ｄｖ(H) をデータ変換部２５によって前記同様にレベルデータＤｓ(L) 、Ｄｓ(H) に変換して、データメモリ２６に記憶する。これら記憶されたレベルデータに対する処理は前記同様である。
【００５０】
なお、上記実施形態では、入力したバースト信号のパワーレベル波形を合成して表示していたが、波形合成部５０やその波形を表示させるための表示部６０は本発明の必須要件ではなく、各期間の平均レベルや判定部４０による判定結果を他装置へ伝送するシステムにも本発明を適用できる。
【符号の説明】
【００５１】
２０……バースト信号測定装置、２１……データ取得部、２２……利得可変器、２２Ａ、２２Ｂ……固定利得器、２３、２３Ａ、２３Ｂ……周波数変換器、２４、２４Ａ、２４Ｂ……Ａ／Ｄ変換器、２５……データ変換部、２６……データメモリ、２７…制御部、３０……オンオフレベル算出部、３１……オンレベル算出手段、３２……はみ出し検出手段、３３……はみ出し量算出手段、３４……オフレベル算出手段、４０……判定部、５０……波形合成部、６０……表示部
【図１】
2015064268.tif 000003
【図２】
2015064268.tif 000004
【図３】
2015064268.tif 000005
【図４】
2015064268.tif 000006
【図５】
2015064268.tif 000007
【図６】
2015064268.tif 000008
【図７】
2015064268.tif 000009